(57)【要約】【課題】人体の患部を十分に除圧できるようにするための技術を提供する。【解決手段】人体の患部またはその周辺に巻かれる包帯１０と、ベッドマット２０とを含む患部保護具１を提供する。この包帯１０の生地中には永久磁石が編み込まれており、ベッドマット２０の内部には電磁石２２が挟み込まれている。これらの磁力線発生体は、人体の患部に巻かれた状態の包帯１０およびベッドマット２０から互いに対して同じ極性の磁力線が発生するように設けられている。これにより、包帯１０およびベッドマット２０からは互いに対して同じ極性の磁力線が発生し、両者は反発し合うようになるため、包帯１０が巻かれた人体の患部ないしその周辺を十分に除圧することができる。【選択図】図５
2007313188.tif 000002
【特許請求の範囲】
【請求項１】
人体の患部または人体の患部の周辺に直接または間接に接触する第１部材と、この第１部材を通じて前記患部に圧力を与える可能性のある人体外部の物体に設けられる第２部材とを含み、
前記第１部材および前記第２部材には、それぞれ磁力線発生体が設けられており、
前記第１部材と前記第２部材は、それぞれ他方と対向する面部を有しており、
前記第１部材および前記第２部材に設けられる前記磁力線発生体は、前記対向する面部から同じ極性の磁力線が発生するように設けられている、
患部保護具。
【請求項２】
前記患部またはその周辺と前記第１部材との間に電磁シールド部材が介在する、
請求項１記載の患部保護具。
【請求項３】
前記第１部材または前記第２部材の少なくとも一方は、緩衝性を有する素材を含んで構成されている、
請求項１または２記載の患部保護具。
【請求項４】
前記第１部材は、前記患部またはその周辺を取り囲むように設けられる、
請求項１ないし３のいずれかの項記載の患部保護具。
【請求項５】
磁力線発生体を備える第１部材を、人体の患部または人体の患部の周辺に直接または間接に接触するように配置し、
磁力線発生体を備える第２部材を、その磁力線の向きが前記第１部材の磁力線の向きと略平行となり且つ前記第２部材の前記第１部材に対する磁力線の極性が前記第１部材の前記第２部材に対する磁力線の極性と同じになるように、前記第１部材を通じて前記患部に圧力を与える可能性のある人体外部の物体に配置することを特徴とする、患部保護方法。
【発明の詳細な説明】
【技術分野】
【０００１】
本発明は、人体の患部を簡易な手法で十分に除圧することができる患部保護具および患部保護方法に関する。「患部」は、既に患っている部分だけではなく、患う可能性の高い部分をも含む概念として使用する。
【背景技術】
【０００２】
人体の同一部位が長時間圧迫されることによって生じる褥瘡、または、熱傷や外傷等によって生じる皮膚潰瘍は、患部（または人体の同一部位）が摩擦を受けたり圧迫されると、治癒しにくくなることは良く知られている。そのため、これらを治療したり褥瘡の発生を予防するためには、患部の摩擦を防止するとともに、患部が圧迫されないように除圧する必要がある。
【０００３】
このような除圧を実現するため、従来、褥瘡治療用のウレタンマット、エアマット、車いす用のウレタンクッション、エアクッション、靴用パッド等のように、患部の部位、臥位、座位、歩行時というような患者の姿勢や行動に応じて、様々な潰瘍予防具および治療具が医療業界において使用されている。これらの潰瘍予防具および治療具によれば、体圧を適度に分散させることができ、患部（または人体の同一部位）への圧迫を軽減することができる。
【０００４】
しかしながら、これらの潰瘍予防具および治療具では、患部への圧迫を軽減することはできても、患部を十分に除圧することは難しい。
すなわち、褥瘡治療用のウレタンマットやエアマットを用いた場合であっても、患者が仰臥位または側臥位のような臥位の姿勢を取る場合には、どうしても仙骨背側、足のかかと、内果、外果のような骨の突出部位に圧がかかりやすい。また、このような部位の周りにさらに緩衝用パッドを貼付しても、患者の姿勢によっては、この部位に圧力がかかったり、摩擦に晒されたりすることを防止することができない。
また、車いす用のウレタンクッションやエアクッションを用いて座った場合でも、座位時に坐骨結節部に圧力がかかってしまう。坐骨結節部に一旦潰瘍ができてしまうと、同部位の除圧は困難であるため、坐骨結節部を切除するような方法で除圧を図ることが考えられるが、この場合でも圧力がかかりやすい部位が新たに発生するため、潰瘍が部位を変えて長引いてしまうのが現状となっている。
さらに、足のかかと、内果、または外果に潰瘍ができた場合には、靴用パッドを使用しても、靴を履いて歩行すると患部が靴に当たりやすい。
【発明の開示】
【発明が解決しようとする課題】
【０００５】
本発明者らの調査によれば、患部の除圧を可能にする器具は、市場に存在しない。また、このような器具を実現するための文献（特許公報および実用新案公報を含む）も存在しない。
本発明は、上述した背景に鑑み、人体の患部またはその周辺を、簡易に且つ十分に除圧できるようにするための技術を提供することを課題とするものである。
【課題を解決するための手段】
【０００６】
本発明者は、上述の課題を解決する患部保護具および患部保護方法を提供する。
本発明の患部保護具は、人体の患部または人体の患部の周辺に直接または間接に接触する第１部材と、この第１部材を通じて前記患部に圧力を与える可能性のある人体外部の物体に設けられる第２部材とを含み、前記第１部材および前記第２部材には、それぞれ磁力線発生体が設けられており、前記第１部材と前記第２部材は、それぞれ他方と対向する面部を有しており、前記第１部材および前記第２部材に設けられる前記磁力線発生体は、前記対向する面部から同じ極性の磁力線が発生するように設けられる。
この患部保護具では、同極の磁力線の反発力を利用して、人体外部の物体から人体の患部に加わる圧力を抑制する。すなわち、第１部材および第２部材から発生する、それぞれ他方と同じ極性の磁力線により、両部材は反発し合い、人体の患部またはその周辺部位を十分に除圧することができる。
【０００７】
前記患部または前記周辺と前記第１部材との間に、電磁シールド部材が介在するようにしてもよい。このように電磁シールド部材を介在させることにより、第１部材と第２部材の磁力線発生体から発生する磁力線による人体への作用を防止ないし緩和することができる。これは、例えば磁力線強度が高すぎたり、磁力線の影響に敏感な患者にとっては、効果的である。
【０００８】
前記第１部材または前記第２部材の少なくとも一方は、緩衝性を有する素材を含んで構成されてもよい。このように構成される患部保護具では、例えば第１部材または第２部材のうちの一方の部材を他方の部材に近づくように移動させた場合、いずれかの部材側の緩衝材がクッションとなり、一方の部材が所定の範囲内で他方の部材から遠ざかる方向に移動する。これにより、上述した人体の患部の除圧を弾力的に行うことができるようになる。
【０００９】
前記第１部材は、前記患部を取り囲むように設けられていてもよい。このように構成される患部保護具では、第１部材と第２部材とが接触した場合にも患部に第１部材を介して圧力が加わらないようにすることができる。
【００１０】
本発明の患部保護方法は、磁力線発生体を備える第１部材を、人体の患部または人体の患部の周辺に直接または間接に接触するように配置し、磁力線発生体を備える第２部材を、その磁力線の向きが前記第１部材の磁力線の向きと略平行となり且つ前記第２部材の前記第１部材に対する磁力線の極性が前記第１部材の前記第２部材に対する磁力線の極性と同じになるように、前記第１部材を通じて前記患部に圧力を与える可能性のある人体外部の物体に配置することを特徴とする。
【発明の効果】
【００１１】
本発明によれば、人体の患部またはその周辺を、簡易に且つ十分に除圧することができる。
【発明を実施するための最良の形態】
【００１２】
以下、本発明の好ましい実施形態例を、図面を参照して説明する。
【００１３】
＜第１実施形態＞
図１は、本発明の患部保護具を包帯およびベッドマットの組で構成した場合の例を示した図である。この患部保護具１は、第１部材に相当する図１（ａ）の包帯１０と、第２部材に相当する図１（ｂ）のベッドマット２０とを含んでいる。
【００１４】
包帯１０は、伸縮性を有する糸を使用してネット状に構成されており、その内部には、図２（ａ）、（ｂ）に示すように、複数の小さなボタン形状の永久磁石１１が、包帯１０の生地中に編み込まれている。また、図２（ｂ）に示すように、包帯１０の内側面（使用時に人体と接触する側の面）には電磁シールドフィルム１２が取り付けられている。
【００１５】
複数の永久磁石１１は、図２（ｂ）中の矢印の方向がＳ極となるように配置され、包帯１０の生地中に編み込まれている。この極性は、例えば製造時に包帯１０の両側から強力な磁力を印加することにより、そろえられる。
【００１６】
本実施形態では、包帯１０はこのような構成のものとして記載するが、これに限られず、磁力線発生体を備えていればどのような包帯であってもよい。例えば、複数の小さなボタン形状の永久磁石１１の代わりに、棒状の永久磁石を用いてもよいし、可撓性を有する板状の永久磁石を用いてもよい。
図３は、棒状の永久磁石を用いた包帯の一例となる包帯３０の断面図を示す。包帯３０は、図３に示されるように、包帯３０の幅方向と略平行に配された複数の棒状の永久磁石１３が、包帯３０の長さ方向に所定の間隔をあけて編み込まれている。
【００１７】
また、これらの永久磁石を生地に編み込むのではなく、包帯の外側面（使用時に人体と接触しない側の面）に取り付けるようにしてもよい。すなわち、包帯と磁力線発生体とが別部材であってもよく、市販されている包帯を患部に巻く際または巻いた後に、磁力線発生体を包帯に取り付けるようにしてもよい。この取り付けは、例えば、包帯の外側面に、複数の小さなボタン形状の永久磁石を包帯の長さ方向に適当に並べ、伸縮性を有するシームテープにより、これらの永久磁石を包帯の他方の面上に固定するようにしてもよい。また、これらの永久磁石は少なくとも患部またはその周辺に取り付ければよく、包帯全体にわたって取り付ける必要はない。
【００１８】
また、永久磁石の代わりに電磁石のような他の磁力線発生体を使用してもよいし、これらを組み合わせて使用してもよい。また電磁石の電流の強さを変化させることにより、磁力線の強度を調整できるようにすることもできる。
【００１９】
また、電磁シールドフィルムは必ずしも包帯に取り付けられている必要はなく、包帯と電磁シールドフィルムとが別部材であってもよい。この場合、まず患部（および人体の他の部分）に電磁シールドフィルムを巻き、それから包帯を巻く。なお、包帯と磁力線発生体とが別部材である場合には、患部に電磁シールドフィルムを巻いた後、その内側面に永久磁石を取り付けて包帯を巻くようにしてもよい。さらに、電磁シールドフィルムを備えない包帯としてもよい。なお、以上の電磁シールドフィルムは、フィルム状に形成されている必要はない。
なお、例えば自由磁極による反発力の低下が懸念される構造の場合には、影響を受ける可能性のある部位に電磁シールドフィルムを貼り付ければよい。
これらの変形例は、以下の実施形態や変形例にも当てはまる。
【００２０】
ベッドマット２０は、その上に人が横たわることができる程度の大きさのマットである。
このベッドマット２０は、図４に示すように、薄く形成された上側の（使用時に人体に近い側の）第１ウレタンマット２１ａと厚く形成された下側の（使用時に人体から遠い側の）第２ウレタンマット２１ｂとを含んで構成される。この第１ウレタンマット２１ａと第２ウレタンマット２１ｂとの間には、板状の電磁石２２が挟まれている。この電磁石２２は、第２ウレタンマット２１ｂのほぼ全面を覆うような大きさのものである。
【００２１】
なお、板状の電磁石２２はマットの外側にある図示しないスイッチと電気的に接続されており、この電源を入れると、図２（ｂ）中の矢印の方向と図４中の矢印の方向の極が同じＳ極となるように配置されている。
【００２２】
本実施形態では、ベッドマット２０はこのような構成のものとして記載するが、これに限られず、図２（ｂ）中の矢印の方向と図４中の矢印の方向の極が同じ極となるように配置されている磁力線発生体を備えていれば、どのようなベッドマットであってもよく、マットの素材、形状はどのように構成してもよい。
また、電磁石２２は、第２ウレタンマット２１ｂの一部を覆うような大きさのものであってもよい。
また、本発明のベッドマットは、敷布団、マットレスの上に重ねて使用するためのマットであってもよいし、敷布団、マットレス自体に代替して使用するためのマットであってもよい。
【００２３】
（使用例）
以下、患者が仰臥位（仰向け）の姿勢にある場合の使用例を説明する。
この例では、患者の患部は、仙骨背側と、足のかかと、内果および外果（以下、かかと部分とする。）とにできた褥瘡であり、電磁シールドフィルムが取り付けられている内側面が人体の患部付近の部分と接触するように、包帯１０が巻かれている。なお、人体の患部を別の保護部材で先に覆い、その上から包帯１０を巻くようにしてもよい。
【００２４】
図５は、仰臥位の姿勢を取っている患者の体の一部４０、患者の患部に巻かれた状態の包帯１０、および磁石マット２０を示す図である。
【００２５】
この人体の患部付近の部分に巻かれた包帯１０のうちベッドマット２０と接触する部分の磁力線の向きは、鉛直方向と略平行となり、ベッドマット２０に対する磁力線の極性はＳ極となる。一方、ベッドマット２０中の電磁石２２と接続されているスイッチの電源を入れると、電磁石２２の面から発生する磁力線の向きは、鉛直方向と略平行となり、包帯１０に対する磁力線の極性もＳ極となる。
すなわち、包帯１０およびベッドマット２０からは互いに対して同じ極性の磁力線が発生し、両者は反発し合う。これにより、包帯１０が巻かれた人体の患部ないしその周辺を十分に除圧することができる。
【００２６】
また、本実施形態の包帯１０は、その内側に電磁シールドフィルム１２を備えているので、包帯１０とベッドマット２０から発生する磁力線の影響を緩和することができる。これは、例えば包帯１０とベッドマット２０から発生する磁力線強度が高すぎたり、磁力線の影響に敏感な患者にとっては、効果的である。
【００２７】
＜第２実施形態＞
図６は、本発明の患部保護具を、シート部材および座布団の組で構成した場合の例を示した図である。この患部保護具２は、第１部材に相当する図６（ａ）のシート部材５０と、第２部材に相当する図６（ｂ）の座布団６０と、を含んでいる。シート部材５０は、図７（ａ）、（ｂ）に示すように、２枚のスポンジ素材５１ａ、５１ｂを、その間にシート状の永久磁石５２を挟むように貼り合わせて形成されている。永久磁石５２は、図７（ｂ）中の矢印の方向がＳ極となるように配置されている。また、図７（ｂ）に示すように、シート部材５０の内側面（使用時に人体と接触する側の面）には電磁シールドフィルム５３が貼り付けられている。さらに、この電磁シールドフィルム５３の内側にはベロクロテープ５４が貼り付けられている。
【００２８】
ベロクロテープ５４は、人体の患部付近の衣服等に貼り付けられたベロクロテープと対になるものであり、使用時に、このベロクロテープ同士を重ね合わせて固定することができる。本実施形態では、患者が装着しているズボンの外側の、患部およびその周囲の部分に図示しないベロクロテープが貼り付けられており、このベロクロテープにシート部材５０のベロクロテープ５４を重ね合わせることにより、ズボンにシート部材５０が固定される。本実施形態によるシート部材５０は、人体の患部の位置、形状に合わせて切り取って使用する。
なお、シート部材は、上述したシート部材５０のように適宜切り取って使用するのではなく、人体の患部の位置等に合わせた形状に合わせた形状に最初から構成されるようにしてもよい。
また、ベロクロテープを有している必要はなく、他の取付手段を備えていてもよい。また、取付手段がなく、代わりにシート部材をズボン等に縫いつけて使用するようになっていてもよい。
【００２９】
図８に示すように、座布団６０は、その上に人が座ることができる程度の大きさの座布団である。
この座布団６０は、第１実施形態のベッドマット２０のように、上側の（使用時に人体に近い側の）第１ウレタンマット６１ａと下側の（使用時に人体から遠い側の）第２ウレタンマット６１ｂとを含んで構成される。この第１ウレタンマット６１ａと第２ウレタンマット６１ｂの間には、板状の電磁石６２が挟まれている。この板状の電磁石６２は図示しないスイッチの電源を入れると、上方向の極が図７（ｂ）中の矢印の方向の極と同じＳ極となるように、配置されている。
【００３０】
（使用例）
以下、患者が座位の姿勢にある場合の使用例を説明する。
この例では、人体の患部は、坐骨結節部およびその周囲に形成された潰瘍であるものとする。
座位の姿勢を取る前に、シート部材５０を患部の大きさに合うように切り取り、患者が装着しているズボン８０の外側に、上述のようにベロクロテープ同士を貼り合わせることにより、ズボン８０にシート部材５０を取り付ける。そして、椅子の上に本実施形態の座布団６０を載置し、その上に患者を座らせる。
【００３１】
図９は、座位の姿勢を取っている患者の体の一部７０、シート部材５０、および座布団６０を示す図である。
【００３２】
この人体の患部付近の部分に取り付けられたシート部材５０の磁力線の向きは、鉛直方向と略平行となり、シート部材５０に対する磁力線の極性はＳ極となる。一方、座布団６０中の電磁石６２と接続されているスイッチの電源を入れると、電磁石６２の面から発生する磁力線の向きは、鉛直方向と略平行となり、シート部材５０に対する磁力線の極性もＳ極となる。
すなわち、シート部材５０および座布団６０からは互いに対して同じ極性の磁力線が発生し、両者は反発し合う。これにより、第１実施形態と同様、シート部材５０が取り付けられた人体の患部ないしその周辺を十分に除圧することができる。
【００３３】
また、シート部材５０を患者の臀部全体に間接的に取り付けた場合には、例えば下半身に力が入らない患者をベッドと車椅子との間を移動させる場合に、患者の臀部の皮膚に勢いよく荷重または摩擦が加わることを防止することができる。
【００３４】
＜第３実施形態＞
図１０は、本発明の患部保護具を、リングパッチおよび靴（または靴への取付部品）の組で構成した場合の例を示した図である。この患部保護具３は、第１部材に相当する図１０（ａ）のリングパッチ１００と、第２部材に相当する図１０（ｂ）の靴１１０と、を含んでいる。
リングパッチ１００は、図１１に示すように、患部を取り囲むことができるようなリング形状に形成されている。リングパッチ１００は、本実施形態ではアクリル系樹脂の発泡体により形成されており、その外側面（使用時に人体と接触しない側の面）には薄いシート状の永久磁石１０２が貼り合わされている。さらに、その内側面（使用時に人体と直接または間接に接触する側の面）には両面テープ１０３が貼り付けられている。この永久磁石１０２は、図１１中の矢印の方向がＳ極となるように配置されている。
【００３５】
なお、リングパッチ１００は以上のような構成のものに限らず、例えば、その内側面に両面テープ１０３が貼り付けられている薄いシート状の永久磁石自体であってもよい。
また、リングパッチ１００は必ずしも患部を取り囲むことができるようなリング形状に形成される必要はない。
【００３６】
靴１１０は、図１２に示すように、市販の靴の、患者が靴１１０を履いた際直接または間接に患部またはその周辺に接触し易い箇所に、スポンジ素材からなるクッション１１１が取り付けられている。このクッション１１１は、薄い上側の（使用時に人体に近い側の）第１クッション１１１ａと下側の（使用時に人体から遠い側の）第２クッション１１１ｂとを含んで構成される。この第１クッション１１１ａと第２クッション１１１ｂとは、その間に複数の小さな永久磁石１１２を挟み込むようにして貼り合わされている。永久磁石１１２は、第１クッション１１１ａ側の極が図１１中の矢印の方向の極と同じＳ極となるように、配置されている。
【００３７】
なお、靴１１０は、患部またはその周辺を圧迫したり摩擦したりしないように、患者の足の大きさよりも大きめのものである必要がある。
クッション１１１の素材は、他の緩衝性を有する素材を使用して形成することもできるし、緩衝性を有しない素材を使用して形成することもできる。
【００３８】
（使用例）
以下、患者が靴１１０を履く場合の使用例を説明する。
この例では、人体の患部は、足のかかとに形成された潰瘍であるものとする。靴１１０を履く前に、かかとの潰瘍の周りにリングパッチ１００を貼り付ける。この貼り付けは、この例においては人体に直接貼り付けるものとするが、これに限られず、靴下の上に貼り付けてもよいし、患部に貼られた絆創膏の上に貼り付けてもよい。
【００３９】
図１３は、靴１１０、この靴１１０を履いている患者の足の一部１２０、リングパッチ１００を示す図である。
【００４０】
この人体の患部であるかかと周りに取り付けられたリングパッチ１００の、クッション１１１に対する磁力線の極性はＳ極となる。
一方、靴１１０のクッション１１１中の永久磁石１１２の、リングパッチ１００に対する磁力線の極性もＳ極となる。
すなわち、リングパッチ１００およびクッション１１１からは互いに対して同じ極性の磁力線が発生し、両者は反発し合う。これにより、第１実施形態と同様、リングパッチ１００が取り付けられた人体の患部ないしその周辺を十分に除圧することができる。
【００４１】
また、患者が足を動かすことによりリングパッチ１００がクッション１１１に近づくように移動した場合、図１４に示すように、磁力線同士の反発力によりクッション１１１がつぶれてリングパッチ１００から遠ざかるように移動する。これにより、人体の患部を物体側に多少動かした場合であっても人体の患部の除圧を弾力的に行うことができる。
【００４２】
さらに、本実施形態のリングパッチ１００は、患部を取り囲むことができるようなリング形状に形成されているので、リングパッチ１００とクッション１１１とが接触した場合にも患部にリングパッチ１００を介して圧力が加わらないようにすることができる。
【００４３】
＜第４実施形態＞
第３実施形態は、市販の靴を用いて本発明の患部保護具を構成する場合について説明したが、専用の靴を用いて患部保護具を構成してもよい。
以下、本発明の患部保護具を専用の靴を用いて構成した場合の実施形態について説明する。
図１５は、本発明の患部保護具を、かかと用部材および靴の組で構成した場合の例を示した図である。この患部保護具４は、第１部材に相当する図１５（ａ）のかかと用部材１３０と、第２部材に相当する図１５（ｂ）の靴１４０と、を含んでいる。
かかと用部材１３０は、使用時に患者のかかとに当接させて使用する部材である。このかかと用部材１３０は、図１５（ａ）および図１６に示すように、断面略Ｌ字形状に形成された薄い板状の部材であり、足のかかとの幅よりも少し小さい幅を有している。かかと用部材１３０は、永久磁石１３１により形成されており、その内側面（使用時に人体と接触する側の面）には両面テープ１３２が貼られている。このかかと用部材１３０には、患部に接触しないようにするための楕円形の孔部１３３が設けられている。永久磁石１３１は、図１６中の矢印の方向がＳ極となるように、構成されている。
本実施形態のかかと用部材１３０はこのような構成のものとして説明するが、これに限られず、第３実施形態のリングパッチ１００のような形状のものであってもよい。
また、孔部１３３は、患部をかかと用部材１３０から露出させることができるような形状、大きさであればどのような孔部であってもよい。また、孔部１３３を有しないかかと用部材１３０としてもよい。
【００４４】
靴１４０は、図１７に示すように、一般的な靴の靴底（ソール）部分１４１がかかと側まで設けられておらず、その代わりにこの靴１４０内のかかと部分にクッション部材１４２が取り付けられている。
このクッション部材１４２は、第１スポンジ素材１４３ａと第２スポンジ素材１４３ｂとを含んで構成される。この第１スポンジ素材１４３ａと第２スポンジ素材１４３ｂとは、その間に複数の永久磁石１４４を挟み込むようにして張り合わされている。永久磁石１４４は、第１スポンジ素材１４３ａ側の極が図１６中の矢印の方向の極と同じＳ極となるように、配置されている。
なお、本実施形態の靴１４０では、靴１４０内のかかと部分に上述のようなクッション部材１４２が取り付けられているものとして説明するが、これに限られるものではない。
例えば図１８に記載するように、靴１４０内のかかと部分に、断面略Ｌ字形状の板状の磁石１４５を取り付けてもよい。
なお、靴１４０は、患者の足の大きさよりも大きいものである必要がある。
【００４５】
（使用例）
以下、患者が靴１４０を履く場合の使用例を説明する。
なお、人体の患部は、足のかかとに形成された潰瘍であるものとする。
靴１４０を履く際、かかとの潰瘍を孔部１３３に合わせ、かかとの周りにかかと用部材１３０を貼り付ける。この貼り付けは、この例においては人体に直接貼り付けるものとするが、これに限られず、靴下の上に貼り付けてもよいし、患部に貼られた絆創膏の上に貼り付けてもよい。
【００４６】
図１９は、靴１４０、この靴１４０を履いている患者の足の一部１５０、かかと用部材１３０を示す図である。
【００４７】
この人体の患部であるかかと周りに貼り付けられたかかと用部材１３０の、靴１４０の永久磁石１４２に対する磁力線の極性はＳ極となる。
一方、靴１４０の永久磁石１４２の、かかと用部材１３０に対する磁力線の極性もＳ極となる。
すなわち、かかと用部材１３０および永久磁石１４２からは互いに対して同じ極性の磁力線が発生し、両者は反発し合い、患部ないしその周辺が永久磁石１４２に接しないようにすることができる。これにより、上記実施形態と同様、かかと用部材１３０が取り付けられた人体の患部ないしその周辺を十分に除圧することができる。
また、患者が足を動かすことによりかかと用部材１３０がクッション部材１４２に近づくように移動した場合、図１９に示すように、磁力線同士の反発力によりクッション部材１４２がつぶれてかかと用部材１３０から遠ざかるように移動する。これにより、人体の患部を物体側に多少動かした場合であっても人体の患部の除圧を弾力的に行うことができる。
また、本実施形態によれば、患者が靴１４０を履いた場合、磁石の反発力により、かかと用部材１３０に、鉛直方向の下側から上側、およびかかと側からつま先側に力が働くので、安定して靴を履けるようになる。
【図面の簡単な説明】
【００４８】
【図１】（ａ）は本発明の第１実施形態の包帯、（ｂ）は本発明の第１実施形態のベッドマットを示す図。
【図２】本発明の第１実施形態の包帯の断面図。
【図３】本発明の第１実施形態の包帯の変形例の断面図。
【図４】本発明の第１実施形態のベッドマットの断面図。
【図５】本発明の第１実施形態の患部保護具の使用状態を示す図。
【図６】（ａ）は本発明の第２実施形態のシート部材、（ｂ）は本発明の第２実施形態の座布団を示す図。
【図７】本発明の第２実施形態のシート部材の断面図。
【図８】本発明の第２実施形態の座布団の断面図。
【図９】本発明の第２実施形態の患部保護具の使用状態を示す図。
【図１０】（ａ）は本発明の第３実施形態のリングパッチ、（ｂ）は本発明の第３実施形態の靴を示す図。
【図１１】本発明の第３実施形態のリングパッチの断面図。
【図１２】本発明の第３実施形態の靴の断面図。
【図１３】本発明の第３実施形態の患部保護具の使用状態を示す図。
【図１４】本発明の第３実施形態の患部保護具の使用時の、リングパッチとクッションの状態を示す断面図。
【図１５】（ａ）は本発明の第４実施形態のかかと用部材、（ｂ）は本発明の第４実施形態の靴を示す図。
【図１６】本発明の第４実施形態のかかと用部材の断面図。
【図１７】本発明の第４実施形態の靴の断面図。
【図１８】本発明の第４実施形態の患部保護具の使用状態を示す図。
【図１９】本発明の第４実施形態の患部保護具の使用時の、かかと用部材とクッション部材の状態を示す断面図。
【符号の説明】
【００４９】
１，２，３，４  患部保護具
１０，３０  包帯
１１，１３，５２，１０２，１１２，１３１，１４４，１４５  永久磁石
１２，５３  電磁シールドフィルム
２０  ベッドマット
２１ａ，２１ｂ，６１ａ，６１ｂ  ウレタンマット
２２，６２  電磁石
４０，７０、１２０，１５０  人体の一部
５０  シート部材
５１ａ，５１ｂ  スポンジ素材
５４  ベロクロテープ
６０  座布団
８０  ズボン
９０  椅子
１００  リングパッチ
１１０，１４０  靴
１１１  クッション
１３０  かかと用部材
【図１】
2007313188.tif 000003
【図２】
2007313188.tif 000004
【図３】
2007313188.tif 000005
【図４】
2007313188.tif 000006
【図５】
2007313188.tif 000007
【図６】
2007313188.tif 000008
【図７】
2007313188.tif 000009
【図８】
2007313188.tif 000010
【図９】
2007313188.tif 000011
【図１０】
2007313188.tif 000012
【図１１】
2007313188.tif 000013
【図１２】
2007313188.tif 000014
【図１３】
2007313188.tif 000015
【図１４】
2007313188.tif 000016
【図１５】
2007313188.tif 000017
【図１６】
2007313188.tif 000018
【図１７】
2007313188.tif 000019
【図１８】
2007313188.tif 000020
【図１９】
2007313188.tif 000021